(57)【特許請求の範囲】
【請求項１】
野地板の勾配下方側に敷設固定される屋根板材の勾配上部側敷設部の上面に、野地板の勾配上方側に敷設固定される屋根板材の勾配下部側敷設部の下面を上方から重ねて上下の屋根板材同士を接合していく横葺屋根に、ソーラーパネル若しくはソーラーパネルを取付するためのソーラーパネル取付具を固定するソーラーパネル用固定金具を設けた横葺屋根において、前記屋根板材は、前記勾配上部側敷設部に、上方へ立上がる形状に折曲形成された立上がり受部を有すると共に、前記勾配下部側敷設部に、この勾配下部側敷設部の下面を前記勾配上部側敷設部の上面に上方から重ねた際に前記立上がり受部に重合可能で且つ下方へ垂下する形状に折曲形成された垂下重合部を有する構成とし、前記ソーラーパネル用固定金具は、前記屋根板材の勾配上部側敷設部とこの勾配上部側敷設部に上方から重ねる前記勾配下部側敷設部との間に挟み込み状態に配設する屋根側取付部を有すると共に、この屋根側取付部を勾配上部側敷設部と勾配下部側敷設部との間に配設した際に、重合する前記垂下重合部と前記立上がり受部よりも野地板の勾配下方側に向かって突出する形状で且つ前記ソーラーパネル若しくは前記ソーラーパネル取付具を固定可能なパネル固定部を有する構成とし、前記屋根板材の勾配上部側敷設部と前記野地板との間に配設する合成樹脂製の金具支持スペーサを備えて、この金具支持スペーサが下方に配設された前記屋根板材の勾配上部側敷設部上に前記ソーラーパネル用固定金具の前記屋根側取付部を載置し、この屋根側取付部の上方から複数の止着具を勾配上部側敷設部及び金具支持スペーサを貫通して野地板に止着することによりこの屋根側取付部を勾配上部側敷設部と金具支持スペーサと共に野地板に固定し、この屋根側取付部の上方から屋根板材の勾配上部側敷設部に別の屋根板材の前記勾配下部側敷設部を重ねて、この上方に重ねた屋根板材の前記垂下重合部を下方の屋根板材の前記立上がり受部に重合させ、この重合させた垂下重合部と立上がり受部を接合具により接合して成ることを特徴とする横葺屋根。
【請求項２】
前記金具支持スペーサは、前記屋根板材の前記立上がり受部の高さ寸法と同等、若しくは立上がり受部の高さ寸法よりやや小さい板厚寸法を有する板状体に構成して、この金具支持スペーサを前記屋根板材の前記勾配上部側敷設部の上側端部からこの勾配上部側敷設部と前記野地板との間に挿入配設し得るように構成したことを特徴とする請求項１記載の横葺屋根。
【請求項３】
前記金具支持スペーサは、発砲ポリスチレン製とし、前記止着具は、ビスを採用したことを特徴とする請求項１，２のいずれか１項に記載の横葺屋根。
【請求項４】
前記ソーラーパネル用固定金具は、前記屋根側取付部を前記屋根板材の勾配上部側敷設部とこの勾配上部側敷設部に上方から重ねる前記勾配下部側敷設部との間に挟み込み状態に配設した際に、屋根板材の前記垂下重合部を収容可能な収容凹部を有する構成としたことを特徴とする請求項１〜３のいずれか１項に記載の横葺屋根。
【請求項５】
前記屋根板材の勾配上部側敷設部と前記ソーラーパネル用固定金具の前記屋根側取付部との間と、この屋根側取付部と前記屋根板材の勾配下部側敷設部との間に、防水材を配設したことを特徴とする請求項１〜４のいずれか１項に記載の横葺屋根。
【発明の詳細な説明】
【技術分野】
【０００１】
本発明は、ソーラーパネル用固定金具を備えた横葺屋根に関するものである。
【背景技術】
【０００２】
これまでのソーラーパネルの屋根上取付構造としては、例えば特許文献１に示すように、野地板の勾配下方側に敷設固定された屋根板材より傾斜上方側に存する野地板部位に金具支持スペーサを敷設固定し、この金具支持スペーサにソーラーパネル用固定金具の後側の屋根側取付部を釘打ち若しくはビス止めにより固定して、このソーラーパネル用固定金具の前端に設けたパネル固定部を野地板の勾配上方側に敷設固定される屋根板材の勾配下部側敷設部の下端より勾配下方側へ突出させ、この勾配下方側へ突出するパネル固定部に、ソーラーパネル若しくはソーラーパネルを取付するためのソーラーパネル取付具を固定する構造が実施されている。
【先行技術文献】
【特許文献】
【０００３】
【特許文献１】特開２００３−２３９４８２号公報
【発明の概要】
【発明が解決しようとする課題】
【０００４】
上記のようなこれまでのソーラーパネルの屋根上取付構造は、ソーラーパネル用固定金具の固定強度確保のために、ソーラーパネル用固定金具の屋根側取付部を、野地板の下方に存する垂木に釘打ち若しくはビス止めすることが強く推奨されている。
【０００５】
しかしながら、木造建築物の場合、新築物件であれば良いが、改築工事等で既存物件の屋根にソーラーパネル用固定金具を固定しようとすることは、既に複数の垂木上に野地板が渡されていて垂木が隠れてしまっているために、垂木の位置を探り当てて釘打ち若しくはビス止めすることが非常に困難であった。
【０００６】
また、鉄骨造建築物には、垂木がなく野地板のみを有する屋根構造を持つものもあるが、このような屋根構造の野地板に対してソーラーパネル用固定金具を固定することは、固定強度不足の懸念がある。
【０００７】
本発明は、このような従来のソーラーパネルの屋根上取付構造の問題点を見い出し、これを解決しようとするもので、垂木の位置をあてにすることなく、また木造・鉄骨造を問わず野地板に止着するだけで高強度にソーラーパネル用固定金具が固定される横葺屋根を提供するものである。
【課題を解決するための手段】
【０００８】
添付図面を参照して本発明の要旨を説明する。
【０００９】
野地板１の勾配下方側に敷設固定される屋根板材２の勾配上部側敷設部３の上面に、野地板１の勾配上方側に敷設固定される屋根板材２の勾配下部側敷設部５の下面を上方から重ねて上下の屋根板材２同士を接合していく横葺屋根Ｙに、ソーラーパネル７若しくはソーラーパネル７を取付するためのソーラーパネル取付具８を固定するソーラーパネル用固定金具９を設けた横葺屋根Ｙにおいて、前記屋根板材２は、前記勾配上部側敷設部３に、上方へ立上がる形状に折曲形成された立上がり受部４を有すると共に、前記勾配下部側敷設部５に、この勾配下部側敷設部５の下面を前記勾配上部側敷設部３の上面に上方から重ねた際に前記立上がり受部４に重合可能で且つ下方へ垂下する形状に折曲形成された垂下重合部６を有する構成とし、前記ソーラーパネル用固定金具９は、前記屋根板材２の勾配上部側敷設部３とこの勾配上部側敷設部３に上方から重ねる前記勾配下部側敷設部５との間に挟み込み状態に配設する屋根側取付部10を有すると共に、この屋根側取付部10を勾配上部側敷設部３と勾配下部側敷設部５との間に配設した際に、重合する前記垂下重合部６と前記立上がり受部４よりも野地板１の勾配下方側に向かって突出する形状で且つ前記ソーラーパネル７若しくは前記ソーラーパネル取付具８を固定可能なパネル固定部11を有する構成とし、前記屋根板材２の勾配上部側敷設部３と前記野地板１との間に配設する合成樹脂製の金具支持スペーサ12を備えて、この金具支持スペーサ12が下方に配設された前記屋根板材２の勾配上部側敷設部３上に前記ソーラーパネル用固定金具９の前記屋根側取付部10を載置し、この屋根側取付部10の上方から複数の止着具13を勾配上部側敷設部３及び金具支持スペーサ12を貫通して野地板１に止着することによりこの屋根側取付部10を勾配上部側敷設部３と金具支持スペーサ12と共に野地板１に固定し、この屋根側取付部10の上方から屋根板材２の勾配上部側敷設部３に別の屋根板材２の前記勾配下部側敷設部５を重ねて、この上方に重ねた屋根板材２の前記垂下重合部６を下方の屋根板材２の前記立上がり受部４に重合させ、この重合させた垂下重合部６と立上がり受部４を接合具14により接合して成ることを特徴とする横葺屋根に係るものである。
【００１０】
また、前記金具支持スペーサ12は、前記屋根板材２の前記立上がり受部４の高さ寸法と同等、若しくは立上がり受部４の高さ寸法よりやや小さい板厚寸法を有する板状体に構成して、この金具支持スペーサ12を前記屋根板材２の前記勾配上部側敷設部３の上側端部からこの勾配上部側敷設部３と前記野地板１との間に挿入配設し得るように構成したことを特徴とする請求項１記載の横葺屋根に係るものである。
【００１１】
また、前記金具支持スペーサ12は、発砲ポリスチレン製とし、前記止着具13は、ビスを採用したことを特徴とする請求項１，２のいずれか１項に記載の横葺屋根に係るものである。
【００１２】
また、前記ソーラーパネル用固定金具９は、前記屋根側取付部10を前記屋根板材２の勾配上部側敷設部３とこの勾配上部側敷設部３に上方から重ねる前記勾配下部側敷設部５との間に挟み込み状態に配設した際に、屋根板材２の前記垂下重合部６を収容可能な収容凹部15を有する構成としたことを特徴とする請求項１〜３のいずれか１項に記載の横葺屋根に係るものである。
【００１３】
また、前記屋根板材２の勾配上部側敷設部３と前記ソーラーパネル用固定金具９の前記屋根側取付部10との間と、この屋根側取付部10と前記屋根板材２の勾配下部側敷設部５との間に、防水材16を配設したことを特徴とする請求項１〜４のいずれか１項に記載の横葺屋根に係るものである。
【発明の効果】
【００１４】
本発明は上述のように構成したから、勾配上部側敷設部に巻き込み部を有しない屋根板材を使用するために、勾配上部側敷設部の下方に金具支持スペーサを配設可能な構成を簡易に設計でき、また、本発明の合成樹脂製の金具支持スペーサは、腐食しづらく高い耐久性を発揮でき、しかも本発明は、ソーラーパネル用固定金具（の屋根側取付部）が、複数の止着具により屋根板材の勾配上部側敷設部と金具支持スペーサと共に野地板に強固に一体化された屋根構造となると共に、高い固定強度を発揮するソーラーパネル用固定金具を設計可能な構成であるために、ソーラーパネル用固定金具（の屋根側取付部）を垂木に止着固定せずとも野地板に止着固定するだけで十分な金具固定強度を確保でき、これにより新築・改築を問わず且つ野地板を有する屋根であれば木造・鉄骨造を問わずに自由度の高いソーラーパネルの設置施工が容易に可能となるなど、極めて実用性に優れた横葺屋根となる。
【００１５】
また、請求項２記載の発明においては、金具支持スペーサを屋根板材の勾配上部側敷設部と野地板との間に容易に配設することができる一層施工性に優れた構成の横葺屋根となる。
【００１６】
また、請求項３記載の発明においては、前記作用・効果を確実に発揮する金具支持スペーサを簡易に設計実現可能となる上、この金具支持スペーサを貫通した止着具の緩みを生じにくいなど、一層実用性に優れた構成の横葺屋根となる。
【００１７】
また、請求項４記載の発明においては、ソーラーパネル用固定金具の屋根側取付部に上方から重ねる屋根板材の垂下重合部を収容凹部に収容できるので、ソーラーパネル用固定金具を配設する位置の垂下重合部を切断除去することなく施工作業を行うことができる一層施工性に優れた構成の横葺屋根となる。
【００１８】
また、請求項５記載の発明においては、ソーラーパネル用固定金具の取付部位の防水性が確保される一層実用性に優れた構成の横葺屋根となる。
【図面の簡単な説明】
【００１９】
【図１】本実施例の使用状態を示す概略説明側断面図である。
【図２】本実施例のソーラーパネル用固定金具を示す斜視図である。
【図３】本実施例の金具支持スペーサを示す斜視図である。
【図４】本実施例の屋根板材の勾配上部側敷設部と、野地板との間に金具支持スペーサを配設した状態を示す概略説明斜視図である。
【図５】図４に続いて、勾配上部側敷設部に防水材を貼り付け、この防水材上にソーラーパネル用固定金具の屋根側取付部を載置しようとする状態を示す部分拡大側断面図である。
【図６】図５に続いて、ソーラーパネル用固定金具を載置固定し、屋根側取付部の上方から別の屋根板材を重ねようとする状態を示す部分拡大斜視図である。
【図７】図６に続いて、上方から重ねた屋根板材の垂下重合部を先に固定した屋根板材の立上がり受部に重合して接合具で接合した横葺屋根の完成状態を示す部分拡大斜視図である。
【図８】図７に続いて、ソーラーパネル用固定金具のパネル固定部にソーラーパネル取付具を介してソーラーパネルを取付した状態（使用状態）を示す部分拡大側断面図である。
【発明を実施するための形態】
【００２０】
好適と考える本発明の実施形態を、図面に基づいて本発明の作用を示して簡単に説明する。
【００２１】
野地板１の勾配下方側に屋根板材２を敷設固定し、この屋根板材２の勾配上部側敷設部３と野地板１との間に、合成樹脂製の金具支持スペーサ12を配設し、この金具支持スペーサ12が下方に配設された屋根板材２の勾配上部側敷設部３上にソーラーパネル用固定金具９の屋根側取付部10を載置し、この屋根側取付部10の上方から複数の止着具13を勾配上部側敷設部３及び金具支持スペーサ12を貫通して野地板１に止着することにより、この屋根側取付部10を勾配上部側敷設部３，金具支持スペーサ12と共に野地板１に固定する。
【００２２】
この際、本発明の屋根板材２は、勾配上部側敷設部３と勾配下部側敷設部５とに巻き込み部を有しない構成であるから、特別な加工を要することなく勾配上部側敷設部３の下方に金具支持スペーサ12を配設可能な既存の屋根板材２を採用可能であり、このような屋根板材２を採用することによって施工性が向上することになる。
【００２３】
次いで、この固定された屋根側取付部10に、上方から別の屋根板材２の前記勾配下部側敷設部５を重ねて、この重ねた屋根板材２の垂下重合部６を先に固定した屋根板材２の立上がり受部４に重合させ、この重合させた垂下重合部６と立上がり受部４を接合具14により接合すると、野地板１の勾配上方側に敷設固定した屋根板材２と勾配下方側に敷設固定した屋根板材２とが接合されると共に、この重合接合した垂下重合部６と立上がり受部４よりも野地板１の勾配下方側に向かってソーラーパネル用固定金具９のパネル固定部11が突出した本発明の横葺屋根Ｙが完成する。そして、この突出するパネル固定部11に、ソーラーパネル７若しくはソーラーパネル７を取付するためのソーラーパネル取付具８を固定して、屋根上にソーラーパネル７を設置する。
【００２４】
このように構成した本発明の横葺屋根Ｙは、ソーラーパネル用固定金具９（の屋根側取付部10）が、複数の止着具13により屋根板材２（の勾配上部側敷設部３）と金具支持スペーサ12と共に野地板１に強固に一体化された構造となるため、ソーラーパネル用固定金具９（の屋根側取付部10）を垂木17に止着固定しなくとも、野地板１に止着固定することだけで十分な金具固定強度を確保できる。
【００２５】
また、本発明は、ソーラーパネル用固定金具の屋根側取付部を屋根板材の勾配上部側敷設部より上方の野地板に敷設した金具支持スペーサに止着固定する前記特許文献１のような従来構造に比べて、金具支持スペーサ12が野地板１の勾配下方側の屋根板材２の勾配上部側敷設部３と重なって固定される分、ソーラーパネル用固定金具９の屋根側取付部10の野地板１勾配方向に沿った長さが不要となり、従ってこの屋根側取付部10の野地板１勾配方向に沿った長さを短く設計可能である。
【００２６】
また、屋根板材２が、勾配上部側敷設部３と勾配下部側敷設部５とを巻き込んで（ハゼ締めして）接合するような構造ではないため、このような構造に比べると、巻き込み部がない分ソーラーパネル用固定金具９の屋根側取付部10の野地板１勾配に沿った長さが不要となり、このことによっても屋根側取付部10の野地板１勾配方向に沿った長さを短く設計可能である。
【００２７】
このように本発明は、ソーラーパネル用固定金具９の屋根側取付部10の、野地板１の勾配方向に沿った長さを短く設計することが容易に可能である。そのため、ソーラーパネル用固定金具９が長く屋根側取付部10の止着固定位置とパネル固定部11とが離れた構造であると、パネル固定部11が荷重を受けた際に屋根側取付部10を野地板１から外そうとする不都合なテコ作用を生じてしまうことが懸念されるが、本発明では、屋根側取付部10の止着固定位置とパネル固定部11とが近接する固定金具構造にでき、これにより上記のような不都合なテコ作用を生じることなく金具固定強度を確保でき、パネル固定部11が受ける荷重を屋根側取付部10を介して強固に一体化された金具支持スペーサ12で直接的に支持できる構成が実現することになる。
【００２８】
従って、本発明によれば、垂木17位置に限らず、野地板１上であればどこにでもソーラーパネル用固定金具９を金具固定強度を確保しつつ固定可能であるので、新築・改築にかかわらず、また野地板１を有する屋根構造であれば、木造・鉄骨造を問わずにソーラーパネル７の設置施工が容易に可能となり、設計の自由度も高い。
【００２９】
また、本発明で採用する合成樹脂製の金具支持スペーサ12は、耐候性に優れ腐食しづらいので、高い耐久性を発揮する。
【実施例】
【００３０】
本発明の具体的な実施例について図面に基づいて説明する。
【００３１】
本実施例は、図１，図７に示すように、野地板１の勾配下方側に敷設固定される屋根板材２の勾配上部側敷設部３の上面に、野地板１の勾配上方側に敷設固定される屋根板材２の勾配下部側敷設部５の下面を上方から重ねて上下の屋根板材２同士を接合していく横葺屋根Ｙに適用したもので、前記屋根板材２の勾配上部側敷設部３と前記野地板１との間に配設する合成樹脂製の金具支持スペーサ12を備えて、この金具支持スペーサ12を介してソーラーパネル７若しくはソーラーパネル７を取付するためのソーラーパネル取付具８を固定するソーラーパネル用固定金具９を野地板１に取付した構成としている。
【００３２】
また、本実施例の屋根板材２は、図４に示すように、野地板１の勾配方向と直交する横方向に長さを有する横長の方形板状であって、勾配上部側敷設部３に、上方へ立上がる形状に折曲形成された立上がり受部４を有すると共に、前記勾配下部側敷設部５の下端部に、この勾配下部側敷設部５の下面を前記勾配上部側敷設部３の上面に上方から重ねた際に前記立上がり受部４に重合可能で且つ下方へ垂下する形状に折曲形成された垂下重合部６を有する構成としている。
【００３３】
具体的には、天然石が吹付けられたガルバリウム鋼板屋根材等に採用される、勾配上部側敷設部３と勾配下部側敷設部５とに巻き込み部を有しない構成の屋根板材２であって、重合させた前記垂下重合部６と前記立上がり受部４を接合具14としてのビス14によりこの前記垂下重合部６と前記立上がり受部４を貫通させて接合すると、野地板１の勾配上方側に敷設固定した屋根板材２と勾配下方側に敷設固定した屋根板材２とが接合される構成の屋根板材２を採用している（図１，図７参照。）。
【００３４】
本実施例のソーラーパネル用固定金具９は、前記屋根板材２の勾配上部側敷設部３とこの勾配上部側敷設部３に上方から重ねる前記勾配下部側敷設部５との間に挟み込み状態に配設する屋根側取付部10を有すると共に、この屋根側取付部10を勾配上部側敷設部３と勾配下部側敷設部５との間に配設した際に、重合する前記垂下重合部６と前記立上がり受部４よりも野地板１の勾配下方側に向かって突出する形状で且つ前記ソーラーパネル７若しくは前記ソーラーパネル取付具８を固定可能なパネル固定部11を有する構成としている。
【００３５】
具体的には、ソーラーパネル用固定金具９は、図２に示すように、一枚の帯状の金属板で構成したもので、金属板の一側部を平板状に形成し、この一側平板部に止着具13としてのビス13を挿通可能な止着孔18を複数箇所（図面では六箇所）に整列状態に貫通形成して、この止着孔18を有する金属板の一側平板部を前記屋根側取付部10としている。
【００３６】
また、このソーラーパネル用固定金具９を構成する金属板の他側端部を、前記屋根側取付部10に対して直角下方へ折曲して小さく（１０〜１２ｍｍ程度）垂下させた後、この垂下部19の先端部を金属板の他端の外方に向けて直角に折曲して小さく（１４〜１６ｍｍ程度）水平突設させ、更にこの下部水平部20の先端部を直角上方へ折曲して屋根側取付部10より上方位置にまで大きく（３６〜３９ｍｍ程度）立直させた後、この立直部21の先端部を金属板の他端の外方に向けて直角に折曲して大きく（２９〜３１ｍｍ程度）水平突設させた形状に形成し、更にこの上部水平部22に、金属板の長さ方向と直交する方向に４０ｍｍ程度の孔長を有する長孔状のボルト取付孔23を貫通形成している。
【００３７】
そして、この垂下部19と下部水平部20と立直部21とで構成される金属板上面側の前記屋根側取付部10より一段低い凹所を、前記屋根側取付部10を前記屋根板材２の勾配上部側敷設部３とこの勾配上部側敷設部３に上方から重ねられる前記勾配下部側敷設部５との間に挟み込み状態に配設した際に、屋根板材２の前記垂下重合部６が収容される収容凹部15としている。即ち、ソーラーパネル用固定金具９は、その長さ方向の中間位置に垂下重合部６を迂回する形状の収容凹部15を設けた構成として、このソーラーパネル用固定金具９が配設する位置の垂下重合部６を切断除去することなく、そのまま垂下重合部６が収容凹部15に収容される構成としている。
【００３８】
また、立直部21と上部水平部22とで構成される背高い突出部を前記パネル固定部11として、このパネル固定部11の前記ボルト取付孔23に取り付けた取付ボルト25に、ソーラーパネル７若しくはソーラーパネル７を取付するためのソーラーパネル取付具８を固定する構成としている（図面は、取付ボルト25にソーラーパネル取付具８を固定し、このパネル取付具８にソーラーパネル７を取付した場合を示している。）。
【００３９】
また、この際、ボルト取付孔23を長孔状としたことにより、取付ボルト25はボルト取付孔23に沿って移動可能であり、これにより様々なメーカーのソーラーパネル７若しくはソーラーパネル取付具８の取付に対応できると共に、施工誤差を吸収したり、ソーラーパネル７若しくはソーラーパネル取付具８の位置調整を行ったりすることが可能で、ソーラーパネル７若しくはソーラーパネル取付具８の設置施工作業を円滑に実施できる構成としている。
【００４０】
また、垂下部19の下面側を、前記屋根側取付部10を屋根板材２の勾配上部側敷設部３に載置した際に屋根板材２の前記立上がり受部４に重合若しくは近接する受部重合面24としている。
【００４１】
また、本実施例では、前記金具支持スペーサ12を野地板１の勾配下方側の屋根板材２の勾配上部側敷設部３と重ねて固定する構成のため、ソーラーパネル用固定金具の屋根側取付部を屋根板材の勾配上部側敷設部より上方の野地板に敷設した金具支持スペーサに止着固定する前記特許文献１のような従来構造に比べて、ソーラーパネル用固定金具９の屋根側取付部10の野地板１勾配方向に沿った長さを短く形成可能である。
【００４２】
更に、屋根板材２が、勾配上部側敷設部３と勾配下部側敷設部５とを巻き込んで（ハゼ締めして）接合するような構造ではないから、このような構造に比べると、巻き込み部がない分ソーラーパネル用固定金具９の屋根側取付部10の野地板１勾配に沿った長さを短く形成可能である。
【００４３】
そこで、本実施例では、ソーラーパネル用固定金具９の屋根側取付部10とパネル固定部11との距離が、必要最低限となるように金具長を短く設定している。即ち、ソーラーパネル用固定金具９が長く屋根側取付部10の止着固定位置とパネル固定部11とが離れた構造であると、パネル固定部11が荷重を受けた際に屋根側取付部10を野地板１から外そうとする不都合なテコ作用を生じてしまうことが懸念されるが、本実施例では、屋根側取付部10の止着固定位置とパネル固定部11とが近接する固定金具構造のため、上記のような不都合なテコ作用を生じることなく（このテコ作用による野地板１，屋根板材２，ソーラーパネル用固定金具９の変形を抑制でき）、パネル固定部11が受ける荷重を屋根側取付部10を介して強固に一体化された金具支持スペーサ12で直接的に支持できる構成としている。
【００４４】
また、ソーラーパネル用固定金具９を、金具長を短くコンパクト化したことにより、変形を生じにくい高強度な金具となると共に、屋根板材２や金具支持スペーサ12と一体化し易く高い固定強度を発揮できる金具となり、その上、取扱い容易で設置施工性に優れると共に、ソーラーパネル用固定金具９が軽量化することにより太陽光発電システム全体の総重量を軽減できて屋根構造体への負担を軽減できることになる。
【００４５】
また、本実施例の金具支持スペーサ12は、発砲ポリスチレン製とし、図３，図４，図６に示すように、野地板１の勾配方向と直交する横方向に長さを有する横長方形板状体に構成している。
【００４６】
具体的には、金具支持スペーサ12は、前記屋根板材２の前記立上がり受部４の高さ寸法と同等、若しくは立上がり受部４の高さ寸法よりやや小さい板厚寸法を有する板状体に構成して、この金具支持スペーサ12を前記屋根板材２の前記勾配上部側敷設部３の上側端部から、この勾配上部側敷設部３を上方へ撓ませることによって勾配上部側敷設部３と前記野地板１との間に挿入配設し得るように構成している。更に詳しくは、金具支持スペーサ12は、横幅１５０ｍｍ，奥行き幅（野地板１の勾配方向に沿った幅）７０ｍｍ，板厚１２ｍｍ程度の方形板状体に形成している。
【００４７】
このような合成樹脂製（発砲ポリスチレン製）の金具支持スペーサ12は、耐候性に優れ経年劣化しにくく（腐りにくく）、高い耐久性を発揮すると共に、止着具13としてのビス13をネジ込むと、このビス13が良好に噛み込んで緩みを生じにくい。尚、金具支持スペーサ12は、他の合成樹脂製でも良いが、本実施例のように発砲ポリスチレン製とすると、上記効果が良好に発揮されることが出願人の試作実験により確認されている。
【００４８】
また、ここで本実施例の止着具13について詳しく説明すると、木ネジタイプのビス13であって、屋根板材２の材質と異種金属による電解腐食を抑止可能な溶融亜鉛メッキビスを採用している。
【００４９】
次に、本実施例の横葺屋根Ｙの施工手順を説明する。
【００５０】
野地板１の勾配下方側に屋根板材２を敷設固定し、この敷設固定した屋根板材２の勾配上部側敷設部３と野地板１との間に、この勾配上部側敷設部３の上方側から金具支持スペーサ12を挿入配設して、金具支持スペーサ12の野地板１勾配下方側の端面を屋根板材２の立上がり受部４の裏面側に当接させた上で、勾配上部側敷設部３の上方から四本の止着具13（ビス13）を勾配上部側敷設部３及び金具支持スペーサ12を貫通して野地板１に止着すすることにより金具支持スペーサ12を勾配上部側敷設部３と共に野地板１に固定する。
【００５１】
この際、垂木17をねらって野地板１に止着具13をネジ込みする必要はない。
【００５２】
次いで、下方に金具支持スペーサ12が配設される屋根板材２の勾配上部側敷設部３上に横長方形板状の防水材16を貼り付け、この防水材16上にソーラーパネル用固定金具９の屋根側取付部10を載置すると共に、ソーラーパネル用固定金具９の前記受部重合面24を屋根板材２の立上がり受部３に面接重合若しくは近接させ、この屋根側取付部10の上方から前記止着孔18に向けて止着孔18と同数の止着具13を勾配上部側敷設部３及び金具支持スペーサ12を貫通して野地板１に止着することにより、この屋根側取付部10を勾配上部側敷設部３，金具支持スペーサ12と共に野地板１に固定する。
【００５３】
次いで、ソーラーパネル用固定金具９の屋根側取付部10の前記収容凹部15近傍の上面と、これに隣接する勾配上部側敷設部３の上面とに横長棒状の防水材16を貼り付けた上で、別の屋根板材２の勾配下部側敷設部５を屋根側取付部10に上方から重ね、この重ねた屋根板材２の垂下重合部６を下方に固定された屋根板材２の立上がり受部４に重合させると共に、ソーラーパネル用固定金具９の上方に存する垂下重合部６は一段低い前記収容凹部15に収容し、この重合させた垂下重合部６と立上がり受部４を接合具14により接合することにより、野地板１の勾配上方側に敷設固定した屋根板材２と勾配下方側に敷設固定した屋根板材２とが接合されると共に、この重合接合した垂下重合部６と立上がり受部４よりも野地板１の勾配下方側に向かってソーラーパネル用固定金具９のパネル固定部11が突出することになる。この作業を繰り返して（ソーラーパネル用固定金具９が不要な箇所は通常通りの屋根板材２の接合を行って）、所望の位置にソーラーパネル用固定金具９のパネル固定部11が突出する本実施例の横葺屋根Ｙを完成させる。
【００５４】
そして、この突出するパネル固定部11に、ソーラーパネル取付具８を固定して、屋根上にソーラーパネル７を設置可能である。
【００５５】
図中符号26はアスファルトルーフィングである。
【００５６】
尚、本発明は、本実施例に限られるものではなく、各構成要件の具体的構成は適宜設計し得るものである。
【符号の説明】
【００５７】
１  野地板
２  屋根板材
３  勾配上部側敷設部
４  立上がり受部
５  勾配下部側敷設部
６  垂下重合部
７  ソーラーパネル
８  ソーラーパネル取付具
９  ソーラーパネル用固定金具
10  屋根側取付部
11  パネル固定部
12  金具支持スペーサ
13  止着具
14  接合具
15  収容凹部
16  防水材
Ｙ  横葺屋根
【要約】
【課題】野地板への止着によって高強度にソーラーパネル用固定金具が固定される構造の横葺屋根を提供すること。
【解決手段】勾配上部側敷設部３に立上がり受部４を有し勾配下部側敷設部５に垂下重合部６を有する屋根板材２と、垂下重合部６と立上がり受部４を重合接合する接合具14と、勾配上部側敷設部３と勾配下部側敷設部５との間に配設する屋根側取付部10を有し、垂下重合部６と立上がり受部４よりも勾配下方側に突出するパネル固定部11を有するソーラーパネル用固定金具９と、勾配上部側敷設部３と野地板１との間に配設する合成樹脂製の金具支持スペーサ12と、屋根側取付部10，勾配上部側敷設部３及び金具支持スペーサ12を野地板１に止着する止着具13とを備えた横葺屋根。
【選択図】図１【図１】
0005480353.tif 000002
【図２】
0005480353.tif 000003
【図３】
0005480353.tif 000004
【図４】
0005480353.tif 000005
【図５】
0005480353.tif 000006
【図６】
0005480353.tif 000007
【図７】
0005480353.tif 000008
【図８】
0005480353.tif 000009